(57)【要約】【課題】災害発生後、最寄りの推奨避難場所、最寄りの推奨避難場所への避難経路および緊急速報に関する情報を迅速にユーザへ提示できる携帯端末、携帯端末制御方法およびプログラムを提供する。【解決手段】動作モード切替手段１０４３は、緊急速報受信手段１０４１が緊急速報を受信すると、携帯端末１００の動作モードを避難モードに切り替える。地図表示手段１０４２は、携帯端末１００の動作モードが避難モードに切り替わると、メモリ１０５から取得した地図データを用いて最寄りの推奨避難場所および避難経路を表示する。通知手段１０５２は、緊急速報に関してユーザに通知する通知情報を地図データに対応する地図に重ねて表示する。【選択図】図１
2018109877.tif 000002
【特許請求の範囲】
【請求項１】
地図データを記憶する記憶手段と、
緊急速報を受信する緊急速報受信手段と、
前記緊急速報受信手段が前記緊急速報を受信すると、自己の動作モードを、自己の現在位置から予め設定された距離の範囲内に位置する推奨避難場所である最寄りの推奨避難場所を表示する避難モードに切り替えるモード切替手段と、
現在位置検出機能を用いて前記現在位置を測位する測位手段と、
前記最寄りの推奨避難場所を特定する推奨避難場所特定手段と、
前記動作モードが前記避難モードに切り替わると、前記記憶手段から前記地図データを取得し、取得した前記地図データを用いて前記最寄りの推奨避難場所を表示する地図表示手段と、
前記緊急速報に関してユーザに通知する通知情報を生成し、生成した前記通知情報を前記地図データに対応する地図に重ねて表示する通知手段と、を備える、
携帯端末。
【請求項２】
前記現在位置の安全性を判定する安全性判定手段を更に備え、
前記通知手段は、前記安全性判定手段による判定結果に基づいて、ユーザに通知する通知情報を生成する、
請求項１に記載の携帯端末。
【請求項３】
地図データを記憶するステップと、
緊急速報を受信するステップと、
前記緊急速報を受信すると、携帯端末の動作モードを、前記携帯端末の現在位置から予め設定された距離の範囲内に位置する推奨避難場所である最寄りの推奨避難場所を表示する避難モードに切り替えるステップと、
現在位置検出機能を用いて前記現在位置を測位するステップと、
前記最寄りの推奨避難場所を特定するステップと、
前記動作モードが前記避難モードに切り替わると、前記地図データを取得し、取得した前記地図データを用いて前記最寄りの推奨避難場所を表示するステップと、
前記緊急速報に関してユーザに通知する通知情報を生成し、生成した前記通知情報を前記地図データに対応する地図に重ねて表示するステップと、を含む、
携帯端末制御方法。
【請求項４】
コンピュータを、
地図データを記憶する記憶手段、
緊急速報を受信する緊急速報受信手段、
前記緊急速報受信手段が前記緊急速報を受信すると、携帯端末の動作モードを、前記携帯端末の現在位置から予め設定された距離の範囲内に位置する推奨避難場所である最寄りの推奨避難場所を表示する避難モードに切り替えるモード切替手段、
現在位置検出機能を用いて前記現在位置を測位する測位手段、
前記最寄りの推奨避難場所を特定する推奨避難場所特定手段、
前記動作モードが前記避難モードに切り替わると、前記記憶手段から前記地図データを取得し、取得した前記地図データを用いて前記最寄りの推奨避難場所を表示する地図表示手段、
前記緊急速報に関してユーザに通知する通知情報を生成し、生成した前記通知情報を前記地図データに対応する地図に重ねて表示する通知手段、として機能させる、
プログラム。
【請求項５】
前記地図表示手段は、前記通知手段が前記通知情報を表示する際、前記現在位置を円形のシェーディング領域で表示する、
請求項４に記載のプログラム。
【請求項６】
コンピュータを、
地図データを記憶する記憶手段、
緊急速報を受信する緊急速報受信手段、
前記緊急速報受信手段が前記緊急速報を受信すると、携帯端末の動作モードを、前記携帯端末の現在位置から予め設定された距離の範囲内に位置する推奨避難場所である最寄りの推奨避難場所を表示する避難モードに切り替えるモード切替手段、
現在位置検出機能を用いて前記現在位置を測位する測位手段、
前記現在位置の安全性を判定する安全性判定手段、
前記最寄りの推奨避難場所を特定する推奨避難場所特定手段、
前記動作モードが前記避難モードに切り替わると、前記記憶手段から前記地図データを取得し、取得した前記地図データを用いて前記最寄りの推奨避難場所を表示する地図表示手段、
前記緊急速報に関してユーザに通知する通知情報を生成し、前記安全性判定手段による判定結果に基づいて、生成した前記通知情報を、前記現在位置を中心とした円形のシェーディング領域とともに前記地図データに対応する地図に重ねて表示する通知手段、として機能させる、
プログラム。
【発明の詳細な説明】
【技術分野】
【０００１】
本発明は、携帯端末、携帯端末制御方法およびプログラムに関する。
【背景技術】
【０００２】
東日本大震災、熊本地震などの大規模災害が発生し、今後も首都直下地震や南海トラフを震源とした大震災又は噴火、津波、若しくは集中豪雨等の災害が予想される。そのため、そのような災害発生時に如何に多数の人命を救うかが大きな課題となっている。こうした要請に対して、例えばインターネット上において、ユーザに緊急避難場所を提示するいわゆる避難所マップを提示するサービスを提供するサイトが開設されている（非特許文献１参照）。
【先行技術文献】
【非特許文献】
【０００３】
【非特許文献１】「避難所マップ」、[online]、２０１６年、ヤフー株式会社、[２０１６年７月２６日検索]、インターネット<URL：http://crisis.yahoo.co.jp/shelter/map/>
【発明の概要】
【発明が解決しようとする課題】
【０００４】
ユーザは、非特許文献１に示すサービスを利用しようとする場合、サービスを利用するためのアプリケーションの起動、最寄りの避難場所の検索、最寄りの避難場所への避難経路を表示させる操作といった幾つかの煩雑な操作を行う必要がある。しかしながら、災害発生時にユーザが精神的にパニックに陥った状態で、ユーザがこれらの操作を迅速に行うことは容易ではなく、ユーザが最寄りの避難場所を把握するのに時間を要してしまう。また、ユーザは、緊急速報を受信した場合に、緊急速報に関する情報（例えば緊急速報を受信した時点における現在位置の安全性に関する情報）を把握できない。従って、ユーザは、緊急速報に関する重要な情報を把握できずに、適切に避難場所へ避難できず、被害を受けてしまう虞がある。
【０００５】
本発明は、上記事由に鑑みてなされたものであり、災害発生後、最寄りの推奨避難場所および緊急速報に関する情報を迅速にユーザへ提示できる携帯端末、携帯端末制御方法およびプログラムを提供することを目的とする。
【課題を解決するための手段】
【０００６】
本発明の第１の観点にかかる携帯端末は、
地図データを記憶する記憶手段と、
緊急速報を受信する緊急速報受信手段と、
前記緊急速報受信手段が前記緊急速報を受信すると、自己の動作モードを、自己の現在位置から予め設定された距離の範囲内に位置する推奨避難場所である最寄りの推奨避難場所を表示する避難モードに切り替えるモード切替手段と、
現在位置検出機能を用いて前記現在位置を測位する測位手段と、
前記最寄りの推奨避難場所を特定する推奨避難場所特定手段と、
前記動作モードが前記避難モードに切り替わると、前記記憶手段から前記地図データを取得し、取得した前記地図データを用いて前記最寄りの推奨避難場所を表示する地図表示手段と、
前記緊急速報に関してユーザに通知する通知情報を生成し、生成した前記通知情報を前記地図データに対応する地図に重ねて表示する通知手段と、を備える。
【０００７】
また、本発明の第２の観点にかかる携帯端末制御方法は、
地図データを記憶するステップと、
緊急速報を受信するステップと、
前記緊急速報を受信すると、携帯端末の動作モードを、前記携帯端末の現在位置から予め設定された距離の範囲内に位置する推奨避難場所である最寄りの推奨避難場所を表示する避難モードに切り替えるステップと、
現在位置検出機能を用いて前記現在位置を測位するステップと、
前記最寄りの推奨避難場所を特定するステップと、
前記動作モードが前記避難モードに切り替わると、前記地図データを取得し、取得した前記地図データを用いて前記最寄りの推奨避難場所を表示するステップと、
前記緊急速報に関してユーザに通知する通知情報を生成し、生成した前記通知情報を前記地図データに対応する地図に重ねて表示するステップと、を含む。
【０００８】
さらに、本発明の第３の観点にかかるプログラムは、
コンピュータを、
地図データを記憶する記憶手段、
緊急速報を受信する緊急速報受信手段、
前記緊急速報受信手段が前記緊急速報を受信すると、携帯端末の動作モードを、前記携帯端末の現在位置から予め設定された距離の範囲内に位置する推奨避難場所である最寄りの推奨避難場所を表示する避難モードに切り替えるモード切替手段、
現在位置検出機能を用いて前記現在位置を測位する測位手段、
前記最寄りの推奨避難場所を特定する推奨避難場所特定手段、
前記動作モードが前記避難モードに切り替わると、前記記憶手段から前記地図データを取得し、取得した前記地図データを用いて前記最寄りの推奨避難場所を表示する地図表示手段、
前記緊急速報に関してユーザに通知する通知情報を生成し、生成した前記通知情報を前記地図データに対応する地図に重ねて表示する通知手段、として機能させる。
【０００９】
さらに、本発明の第４の観点にかかるプログラムは、
コンピュータを、
地図データを記憶する記憶手段、
緊急速報を受信する緊急速報受信手段、
前記緊急速報受信手段が前記緊急速報を受信すると、携帯端末の動作モードを、前記携帯端末の現在位置から予め設定された距離の範囲内に位置する推奨避難場所である最寄りの推奨避難場所を表示する避難モードに切り替えるモード切替手段、
現在位置検出機能を用いて前記現在位置を測位する測位手段、
前記現在位置の安全性を判定する安全性判定手段、
前記最寄りの推奨避難場所を特定する推奨避難場所特定手段、
前記動作モードが前記避難モードに切り替わると、前記記憶手段から前記地図データを取得し、取得した前記地図データを用いて前記最寄りの推奨避難場所を表示する地図表示手段、
前記緊急速報に関してユーザに通知する通知情報を生成し、前記安全性判定手段による判定結果に基づいて、生成した前記通知情報を、前記現在位置を中心とした円形のシェーディング領域とともに前記地図データに対応する地図に重ねて表示する通知手段、として機能させる。
【発明の効果】
【００１０】
本発明によれば、モード切替手段が、緊急速報受信手段が緊急速報を受信すると、自己の動作モードを、自己の現在位置から最寄りの推奨避難場所を表示する避難モードに切り替える。そして、地図表示手段が、自己の動作モードが避難モードに切り替わると、地図データを用いて最寄りの推奨避難場所を表示するとともに、通知手段が、緊急速報に関してユーザに通知する通知情報を生成して地図データに対応する地図に重ねて表示する。これにより、ユーザは、携帯端末が緊急速報を受信した後、携帯端末に対して最寄りの推奨避難場所を検索するための操作を行わなくても携帯端末に最寄りの推奨避難場所と緊急速報に関する通知情報とが表示される。従って、災害発生後、最寄りの推奨避難場所およびユーザに通知すべき通知情報が迅速にユーザへ提示される。さらに、シェーディング領域を表示することにより、位置情報に関する誤差をユーザに認識し易い形で提供することが出来る。
【図面の簡単な説明】
【００１１】
【図１】本発明の実施の形態にかかる携帯端末の構成例を示すブロック図である。
【図２】実施の形態に係る制御部が実行する携帯端末制御処理の一例を示すフローチャートである。
【図３】実施の形態に係る制御部が実行する携帯端末制御処理の一例を示すフローチャートである。
【図４】実施の形態に係る表示部に表示される画面の一例を示す図である。
【図５】実施の形態に係る制御部が実行する地図データ更新処理の一例を示すフローチャートである。
【発明を実施するための形態】
【００１２】
本発明に係る実施の形態について図面を参照して説明する。なお、本発明は下記の実施の形態および図面によって限定されるものではない。
【００１３】
図１に示すように、本実施の形態に係る携帯端末１００は、スマートフォン（基地局との間で３Ｇ、４Ｇ、ＬＴＥ等の通信プロトコルによるディジタル通信可能な携帯電話）よりなり通信回路１０２とＧＰＳ機能部１０３と制御部１０４とメモリ（記憶手段）１０５と電源制御部１０６と表示部１０７と操作部１０８と音声入出力部１０９と各部を接続するバス１０１とを備える。バス１０１は、制御バスおよびデータバスを有する。各部間のデータの伝送は、バス１０１を介して実行される。通信回路１０２は、携帯端末１００内のアンテナ（図示せず）を介して、携帯電話事業者の基地局とのデータ送受信を実行する。通信回路１０２は、遠隔地から基地局を介して取得したデータを、バス１０１を介して制御部１０４へ出力したり、制御部１０４からバス１０１を介して取得したデータを、基地局を介して遠隔地へ送信したりする。
【００１４】
ＧＰＳ機能部１０３は、ＧＰＳ衛星から携帯端末１００内のアンテナを介して受信した信号を処理することにより、地上における携帯端末１００の位置を示す座標を算出する。携帯端末１００は、このＧＰＳ機能部１０３を備えることにより、携帯端末１００の現在位置を検出する現在位置検出機能を発揮する。
【００１５】
メモリ１０５は、オペレーティングシステム、地図アプリケーション（以下「アプリ」という。）、避難モードアプリのようなプログラム、並びに電子メール、アドレス帳およびユーザ情報等の携帯端末で利用する可能性のあるデータを記憶する。また、メモリ１０５は、地図データを記憶する。
【００１６】
地図データは、地上に配置された道路、歩道、通路などの基本地図データと、基本地図データが示す地図上に表示されるレストラン、商業施設、駅、ビルディング、官公庁、観光地等に関する付属情報と、の双方を含む一般的地図データから構成される。つまり、一般的地図データは、一般的商業施設等を特定するための情報を含んでいる。この一般的地図データの構造は、基本地図データを構成する基本道路データ、詳細道路データ等と、付属情報である建物データ、文字データ、形状データ、背景データ等と、から構成されるレイヤ構造となっている。そして、制御部１０４は、これらのデータを合成したデータを表示部１０７に表示させる。また、付属情報には、住所コード、街区符号、番地、住居番号、名称等を示す基本属性情報を含んでいる。
【００１７】
また、地図データは、推奨避難場所の位置情報とその属性情報とを含んでいる。この推奨避難場所には、緊急避難場所として指定されている場所のみならず、緊急避難場所として指定されていない建物や場所等も含まれる。推奨避難場所には、例えば建築基準法に基づく新耐震基準（１９８１年６月１日  建築基準法施行令改正）を満たしている建物や２０００年（平成１２年）６月１日の建築基準法及び同施工令改正に依拠して建てられた建物、「既存建築物耐震診断・改修等推進全国ネットワーク委員会」（略称「全国耐震ネットワーク委員会」）の基準適合認定建築物に係るプレートが交付されている建物、東京都耐震マークが付与された建物等が含まれる。また、推奨避難場所には、一般的地図データの作成者による独自の調査または検証により防災上の安全性が高い建物や場所も含まれる。但し、推奨避難場所としては、単に緊急避難場所のみを含むもの、緊急避難場所の一部を含むもの、又は緊急避難場所の一部と追加の建物若しくは地域が追加されたものなどの組み合わせであってもよい。例えば、推奨避難場所としては、新耐震基準を満たす全ての建物を含めてもよい。
【００１８】
属性情報は、例えば、推奨避難場所が建物であるか公園や空き地等の土地であるか、或いは建物が耐えうる地震の震度、推奨避難場所の高さ、推奨避難場所の海岸線や河川からの距離等に関する情報である。
【００１９】
地図アプリは、推奨避難場所を表示し、かつ現在位置と目的地に至る経路を表示するためのものである。目的地は、ユーザが操作部１０８を介して目的地の名称や属性（例えば駅、郵便局、推奨避難場所等）を入力することにより選択される。但し、目的地に関する所定の条件が事前に設定されている場合、携帯端末１００は、ユーザによる操作部１０８を介した目的地の名称等の入力がない場合でも、現在位置から目的地への経路を表示することが出来る。
【００２０】
避難モードアプリは、緊急速報を受信した際に、携帯端末１００の動作モードを避難モードに切り替える。この避難モードとは、携帯端末１００の現在位置から予め設定された距離の範囲内に位置する推奨避難場所である最寄りの推奨避難場所と携帯端末１００の現在位置から最寄りの推奨避難場所への避難経路とを表示する動作モードである。ここで、「最寄りの推奨避難場所」とは、必ずしも携帯端末１００の現在位置からの直線距離が最も短い推奨避難場所を意味するのではなく、携帯端末１００の現在位置からの到達経路の長さが最も短い推奨避難場所を意味する。また「最寄りの推奨避難場所」は、１つの推奨避難場所に限られるものではなく複数の推奨避難場所であってもよい。そして、携帯端末１００の動作モードが避難モードに切り替わると、地図アプリが起動し、地図アプリが、携帯端末１００の現在位置から予め設定された距離の範囲内に位置する推奨避難場所と、携帯端末１００の現在位置から推奨避難場所までの避難経路と、を表示する。なお、緊急モードにおける地図上の表示項目については、最寄りの推奨避難場所のみとし、ユーザによる推奨避難場所アイコンの指定（タッチパネル上の指による押圧等）を待って避難経路を表示するように設定することも出来る。
【００２１】
ここで、緊急速報とは、気象庁等が配信する「緊急地震速報」や「大津波警報」、「津波警報」、「特別警報」、或いは、国・地方公共団体が配信する「災害・避難情報」等を含む。緊急速報は、これらの緊急速報が通知する情報の種類を識別する速報種類情報も含んでいる。また、緊急速報は、例えば災害が発生した位置（緯度・経度）と災害の規模に関する情報も含む。例えば地震の発生を通知する緊急速報には、地震が発生した位置と地震のエネルギ・マグニチュードと震源の深さとを示す情報が含まれている。
【００２２】
緊急速報は、携帯電話事業者の基地局からその携帯電話事業者により選択された対象エリアにいるユーザの携帯端末へブロードキャスト（同報）配信される。避難モードアプリは、携帯端末１００の電源をオンした時点で自動的に起動する。また、避難モードアプリは、受信する緊急速報に含まれる災害の種類と程度に応じて、携帯端末１００の動作モードを避難モードに切り替えるか否かの選択を実行する。例えば、前述のように、津波警報の場合、大津波警報と津波警報との２種類がある。ここで、避難モードアプリは、大津波警報を通知する緊急速報を受信すると、携帯端末１００の動作モードを避難モードに切り替えるが、津波警報を通知する緊急速報を受信した場合、携帯端末１００の動作モードを切り替えない。
【００２３】
制御部１０４は、マイクロプロセッサを含んで構成されている。制御部１０４は、メモリ１０５が記憶するプログラムを読み込んで実行することにより、緊急速報受信手段１０４１、地図表示手段１０４２、動作モード切替手段１０４３、測位手段１０４４、属性特定手段１０４５、推奨避難場所特定手段１０４６、避難経路特定手段１０４７、危険範囲特定手段１０４８、地図更新手段１０４９、設定手段１０５０、安全性判定手段１０５１、通知手段１０５２、として機能する。緊急速報受信手段１０４１は、通信回路１０２を介して緊急速報を受信する。
【００２４】
動作モード切替手段１０４３は、緊急速報受信手段１０４１が緊急速報を受信すると、携帯端末１００の動作モードを、避難モードに切り替える。ここで、動作モード切替手段１０４３は、緊急速報に含まれる速報種類情報に応じて、携帯端末１００の動作モードを避難モードに切り替える。設定手段１０５０は、動作モード切替手段１０４３が携帯端末１００の動作モードを避難モードに切り替えるか否かの設定をする。
【００２５】
地図表示手段１０４２は、携帯端末１００の動作モードが避難モードに切り替わると、メモリ１０５から地図データを取得し、取得した地図データを用いて、携帯端末１００の現在位置、最寄りの推奨避難場所および避難経路を表示部１０７に表示する。なお、地図表示手段１０４２は、後述するように、携帯端末１００の現在位置を、地図が視認出来る程度に彩度または明度を落とした円形のシェーディング領域として表示する。また、携帯端末１００の動作モードが平常モードの場合、ユーザが操作部１０８に対して表示部１０７に地図を表示させるための操作を行うと、地図表示手段１０４２は、メモリ１０５から地図データを取得して表示部１０７に地図を表示させる。
【００２６】
測位手段１０４４は、ＧＰＳ機能部１０３に携帯端末１００の現在位置を示す座標を算出させ、ＧＰＳ機能部１０３が算出した座標を取得する。
【００２７】
安全性判定手段１０５１は、受信した緊急速報の内容を解読するとともに、メモリ１０５が記憶する地図データを取得し、緊急速報の内容と地図データに含まれる情報とに基づいて携帯端末１００の現在位置の安全性を判定する。ここにおいて、安全性判定手段１０５１は、地図データを参照して、緊急速報に含まれる災害の種類や規模等を示す情報に基づいて、携帯端末１００の現在位置が安全であるか危険であるかを判定する。もっとも、この安全性は相対的なものであり、絶対的なものではない。すなわち、一定の条件を満たしているか否かに基づいて、比較的安全であるか否かをユーザの参考に供するものであり、必ずしもその基準を満たしているからと言って、その場所が絶対的に安全であると判断することは出来ない。
【００２８】
通知手段１０５２は、安全性判定手段１０５１による判定結果に基づいて、ユーザに表示部１０７を介して通知する通知情報を生成しメモリ１０５に記憶させる。そして、通知手段１０５２は、メモリ１０５に記憶させた通知情報を取得して通知情報を表示部１０７に表示させる。ここで、通知手段１０５２は、緊急速報を受信した後、可及的速やかに、通知情報３０１を、表示部１０７に表示されている地図に重ねて表示した後、予め設定された期間だけ経過した後、通知情報の表示を解除する。また、別の態様によれば、携帯端末１００の動作モードが平常モードである場合、予め設定された待機時間だけ経過した後、通知情報を表示部１０７に表示されている文字情報やアイコンに重ねて表示する。一方、通知手段１０５２は、緊急速報を受信した後、携帯端末１００の動作モードが避難モードに切り替わっている場合、通知情報３０１を、表示部１０７に表示されている地図に重ねて表示した後、予め設定された期間だけ経過した後、通知情報の表示を解除するよう構成されている。
【００２９】
属性特定手段１０４５は、緊急速報に応じた、推奨避難場所が具備すべき属性要件を特定する。
【００３０】
推奨避難場所特定手段１０４６は、携帯端末１００の現在位置から予め設定された距離の範囲内に位置し、属性特定手段１０４５が特定した属性要件を満たす推奨避難場所を特定する。
【００３１】
避難経路特定手段１０４７は、携帯端末１００の現在位置から、推奨避難場所特定手段１０４６が特定した推奨避難場所への避難経路を特定する。
【００３２】
危険範囲特定手段１０４８は、緊急速報に含まれる情報に基づいて、災害による危険が及びうる範囲である危険範囲を特定する。たとえば、緊急地震速報（警報・予報）の場合には、震源地の深度及びマグニチュードに基いて、地表面における深度を予想することができるので、その大きさが所定のもの（例えば、深度３、４、５弱 ）以上の範囲を危険範囲として特定する。なお、簡易的には予想される最大震度が発生する地点、または最大震度が観測された観測点から一定の距離（例えば１５０Ｋｍ)を危険範囲として、ユーザに伝達することもある。
【００３３】
地図更新手段１０４９は、定期的に、通信回路１０２を介してネットワークに接続し、外部の地図サーバから最新の一般的地図データおよび避難地図データを取得する。なお、地図情報自体に大きな変更がない場合には、単に新設された避難関連施設の情報および廃止された避難関連施設の情報のみの差分情報を受け取り、携帯端末１００内でそれらの情報を既存の地図データと統合するように構成することもできる。
【００３４】
電源制御部１０６は、制御部１０４の指示に従って、通常動作と通常よりも電力消耗を低減した節電動作との切り替えを行う役割を果たす。電源制御部１０６が節電動作に切り替えると、例えば通信回路１０２における通信機能の一時的遮断や表示部１０７の明度低減、制御部１０４の動作速度（クロックスピード）の低減が実行され、携帯端末１００での電力消費が抑えられる。
【００３５】
表示部１０７は、通常、多数の微小な発光点と、多数の発光点それぞれに接続された半導体スイッチ群と、フィルタと、から構成されたドットマトリクスである。この種の表示部１０７は、通常、液晶又はＯＬＥＤ（Organic Light Emitting Diode）から構成されている。表示部１０７は、半導体スイッチ群により発光点が部分的にオン・オフすることにより、表面から見られる画像が変化する。本件発明にかかる一般的地図データまたは避難用地図データは、この表示部１０７に表示されることになる。
【００３６】
操作部１０８は、携帯端末１００に対するユーザからの操作を受け入れるスイッチ群よりなり、通常、感圧センサや押しボタンから構成されている。ここで、ユーザが操作部１０８を操作して表示部１０７に表示された複数アプリのアイコンの一つを選択する操作を行うと、制御部１０４が、選択されたアイコンに対応するアプリを起動する。そして、制御部１０４は、そのアプリが起動した状態で、ユーザが操作部１０８に対して所定の操作を行うと、起動したアプリに対応する所定のプログラムを実行する。
【００３７】
音声入出力部１０９は、マイクとスピーカとを有し、音声の入出力を行う。
【００３８】
なお、図１は携帯端末内の主要機能をブロック図として表示したものであり、制御部１０４、メモリ１０５等の構成要素が、複数のＬＳＩまたはＩＣチップに分散配置されていることもあり、各構成要素が物理的に分離していることは必ずしも必要とするものではない。従って、例えば通信回路１０２とＧＰＳ機能部１０３とが一体化しており、電源制御部１０６が、制御部１０４の一部となっていてもよい。なお、市販されているデジタイザは、表示部の上に感圧センサを配置し、表示部１０７と操作部１０８の機能が一体化されたものになっている。さらに、各要素が、各別に制御部及びメモリを一体化した半導体製品から構成されているものも一般的に市販されている。
【００３９】
携帯端末１００が避難モードへの動作遷移を可能とするか否かの設定は、携帯端末１００の初期設定において行うことができる。また、この設定は、避難モードアプリ内での設定操作及び避難モードアプリ動作時に携帯端末１００に対して避難モードでの動作を解除するための解除操作を行うことにより行うことも出来るので、その場合にはこの設定に応じて動作モードを最寄りの推奨避難場所を表示する避難モードへ切り替えられるか否かが決定される。
【００４０】
この手動による避難モードの停止は、表示された緊急速報の内容によってすぐに避難をする必要が有る場合とない場合もあるので、その判断をユーザが選択することを可能としている。例えば、大震災の緊急速報に関して、ユーザが耐震設計に基づく安全な高層ビル内の上層階にいるような場合には、地震や津波などが発生した際には、むしろ即座に避難場所に向かうよりも、その場にとどまるほうが好ましい場合も有り得るからである。
【００４１】
次に、本実施の形態に係る携帯端末１００の制御部１０４が実行する携帯端末制御処理について、図２乃至図４を参照しながら説明する。この携帯端末制御処理は、携帯端末１００へ電源が投入されたことを契機として開始される。また、図２および図３に示すフローチャートに示す各ステップは、制御部１０４が、メモリ１０５が記憶する携帯端末制御処理用のプログラムを読み込んで実行することにより逐次処理される。まず、緊急速報受信手段１０４１は、緊急速報を受信したか否かを判定する（ステップＳ１０１）。
【００４２】
緊急速報受信手段１０４１により緊急速報を受信していないと判定されると（ステップＳ１０１：Ｎｏ）、携帯端末１００は、平常時処理を続行する（ステップＳ１０２）。このとき、携帯端末１００は、ユーザの操作に応じて、適宜通話、通信、各種アプリの起動等を実行する。その後、再びステップＳ１０１の処理が実行される。
【００４３】
一方、緊急速報受信手段１０４１が、緊急速報を受信したと判定すると（ステップＳ１０１：Ｙｅｓ）、安全性判定手段１０５１は、受信した緊急速報の内容を解読する（ステップＳ１０３）。この緊急速報は、それ自体ではユーザが内容を判別できない特定のコードから構成されたり、人に読まれることを意図した災害の種類を表示するテキストメッセージ、電子メール等から構成されたりする。ここでは、安全性判定手段１０５１は、緊急速報に含まれる災害の種類や規模等を示す情報を解読し、解読して得られた情報をメモリ１０５に記憶させる。
【００４４】
次に、安全性判定手段１０５１は、メモリ１０５が記憶する地図データを取得する（ステップＳ１０４）。
【００４５】
次に、動作モード切替手段１０４３は、設定手段１０５０により緊急速報受信時に携帯端末１００の動作モードを平常モードから避難モードに切り替える設定がなされているか否かを判定する（ステップS１０５）。動作モード切替手段１０４３により緊急速報受信時に携帯端末１００の動作モードを避難モードに切り替える設定がなされていると判定されると（ステップS１０５：Ｙｅｓ）、後述のステップＳ１１４の処理が実行される。
【００４６】
一方、動作モード切替手段１０４３が、緊急速報を受信しても携帯端末１００の動作モードを平常モードで維持する設定がなされていると判定したとする（ステップS１０５：Ｎｏ）。この場合、測位手段１０４４は、ＧＰＳ機能部１０３に携帯端末１００の現在位置を示す座標を算出させ、ＧＰＳ機能部１０３が算出した座標、即ち、携帯端末１００の現在位置を取得する（ステップＳ１０６）。もっとも、ＧＰＳ機能部１０３が常時又は定期的に携帯端末１００の現在位置を示す座標をメモリ１０５内のキャッシュメモリ領域に記憶させている場合、測位手段１０４４は、キャッシュメモリが既に記憶している携帯端末１００の現在位置の座標を取得してもよい。
【００４７】
続いて、安全性判定手段１０５１は、携帯端末１００の現在位置の安全性を判定する（ステップＳ１０７）。ここでは、安全性判定手段１０５１は、地図データを参照して、緊急速報に含まれる災害の種類や規模等を示す情報に基づいて、携帯端末１００の現在位置が安全であるか危険であるかを判定する。例えば、緊急速報が津波警報を通知するものであるとする。この場合、安全性判定手段１０５１は、携帯端末１００の現在位置が高台（例えば海岸線及び河川から２ｋｍ以上離れた５０ｍ以上の高台）である場合、現在位置は安全であると判定する。また、緊急警報が震度４の地震警報を通知するものであるとする。この場合、安全性判定手段１０５１は、携帯端末１００の現在位置の周囲に存在する建物が震度６以上の地震に耐えられる耐震構造を有するものである場合、現在位置は安全であると判定する。
【００４８】
その後、通知手段１０５２は、安全性判定手段１０５１による判定結果に基づいて、ユーザに表示部１０７を介して通知する通知情報を生成しメモリ１０５に記憶させる（ステップＳ１０８）。ここにおいて、例えば緊急警報が震度４の地震警報を通知するものであるとする。そして、安全性判定手段１０５１が、携帯端末１００の現在位置の周囲に存在する建物が震度６以上の地震に耐えられる耐震構造を有し携帯端末１００の現在位置が安全であると判定したとする。この場合、通知手段１０５２は、例えば「その周辺にある○○ビルは震度６以上に耐える構造なので比較的安全です。」といったメッセージを示す通知情報を生成してメモリ１０５に記憶させる。
【００４９】
ところで、通常、ＧＰＳ機能部１０３に基づいて特定された携帯端末１００の現在位置は、ある程度の誤差を許容せざるを得ない。これは、大気の影響等により電波が伝播する際に生じる遅延量の変化、ＧＰＳ衛星の位置を示す位置情報の誤差、ＧＰＳ衛星に搭載された原子時計のズレ、ビルや周辺の建造物等による衛星から送信される電波の反射に依る。したがって、携帯端末１００の現在位置として検出された場所が、必ずしも携帯端末１００の正確な現在位置とは限らない。
【００５０】
従って、携帯端末１００の現在位置が「その周辺ある○○ビル」と表示された場合、実際には携帯端末１００が、そのビルの中に位置する場合もあるしそのビルの外に位置する場合もある。そうすると、携帯端末１００を所持するユーザは、実際に自分がどのビルに居るのかがわかりにくい場合もあり得る。
【００５１】
そのため、携帯端末１００が避難モードで動作している場合、ＧＰＳ機能部１０３により検出された携帯端末１００の現在位置は、点ではなく携帯端末１００の実際の現在位置を含む円で表示されたほうが好ましい。これにより、携帯端末１００を所持するユーザは、自身の現在位置がどのビル内であるかを把握し易くなる。
【００５２】
この場合、現在位置を示す円は、ＧＰＳ機能部１０３により検出した携帯端末１００の現在位置から所定の半径（例えば２５ｍまたは５０ｍ）を有するものとして表示されてもよい。この円の内側は、例えば、表示される地図の明度または彩度を落としたいわゆる透かし状態で表示されたり、または特定の薄い色（例えばピンク色や水色）にて表示されたりする（以下「シェーディング領域」という。）。
【００５３】
このシェーディング領域は、 安全性判定手段１０５１による判定結果に基づいて、生成した通知情報とともに表示するように構成されている。また、シェーディング領域は、ＧＰＳ機能部１０３がその機能を十分に発揮できない不安定な状態でも表示されるように構成されている。このＧＰＳ機能部１０３が不安定な状態とは、例えば、携帯端末１００の加速度センサ（図示せず）による検出結果に基づいて算出される携帯端末１００の現在位置には大きな変化が無いにも関わらず、ＧＰＳ機能部１０３が受信したＧＰＳ信号に基づいて算出される携帯端末１００の現在位置が大きく変動している場合が該当する。
【００５４】
すなわち、携帯端末１００が静止しているときに、加速度センサによる検出結果に基づいて算出される携帯端末１００の現在位置のズレ量がせいぜい数センチメートルであるのに対して、ＧＰＳ信号に基づいて算出される携帯端末１００の現在位置のズレ量が数メートルになるような場合である。同様に、携帯端末１００を所持するユーザが歩行移動しているときに、加速度センサによる検出結果に基づいて算出される携帯端末１００の移動速度が数ｍ／秒であるのに対して、ＧＰＳ信号に基づいて算出される携帯端末１００の移動速度が数十ｍ／秒になるような場合に生じうる。
【００５５】
さらに、このシェーディング領域は、簡易化のため 地図上に現在地を表示する場合に、緊急避難情報の発生に連動すること無く常時表示することも可能である。
【００５６】
次に、通知手段１０５２は、メモリ１０５に記憶させた通知情報を取得し（ステップＳ１０９）、続いて、通知手段１０５２は、予め設定された待機時間だけ経過したか否かを判定する（ステップＳ１１０）。待機時間は、例えば１ｓｅｃに設定される。通知手段１０５２は、予め設定された待機時間を経過しない限り（ステップＳ１１０：Ｎｏ）、ステップＳ１１０の処理を繰り返す。
【００５７】
一方、通知手段１０５２は、予め設定された待機時間を経過したと判定すると（ステップＳ１１０：Ｙｅｓ）、通知情報を携帯端末１００の表示部１０７に表示させる（ステップＳ１１１）。ここで、通知手段１０５２は、例えば通知情報を、表示部１０７に表示されている文字情報やアイコンに重ねて表示する。
【００５８】
続いて、通知手段１０５２は、通知情報を表示部１０７に表示後、予め設定された期間だけ経過したか否かを判定する（ステップＳ１１２）。この予め設定された期間の長さは、例えば５ｓｅｃ乃至１０ｓｅｃに設定される。通知手段１０５２は、通知情報を表示部１０７に表示後、未だ予め設定された期間を経過していないと判定すると（ステップＳ１１２：Ｎｏ）、通知情報の表示を継続する（ステップＳ１１１）。一方、通知手段１０５２は、通知情報を表示部１０７に表示後、予め設定された期間を経過したと判定すると（ステップＳ１１２：Ｙｅｓ）、通知情報の表示を解除する（ステップＳ１１３）。その後、再びステップＳ１０１の処理が実行される。
【００５９】
また、前述のステップＳ１０５において、動作モード切替手段１０４３が、緊急速報受信時に携帯端末１００の動作モードを避難モードに切り替える設定がなされていると判定したとする（ステップS１０５：Ｙｅｓ）。この場合、動作モード切替手段１０４３が、携帯端末１００の動作モードを避難モードに切り替える（ステップＳ１１４）。このとき、制御部１０４は、ユーザにより避難モードを解除するよう指示する解除指示がなされるまで、他のアプリケーションの動作を停止する。
【００６０】
その後、危険範囲特定手段１０４８は、緊急速報に含まれる災害の種類や規模等を示す情報に基づいて、災害による危険が及びうる範囲である危険範囲を特定する（ステップＳ１１５）。
【００６１】
次に、測位手段１０４４は、ＧＰＳ機能部１０３に携帯端末１００の現在位置を示す座標を算出させ、ＧＰＳ機能部１０３が算出した座標、即ち、携帯端末１００の現在位置を示す現在位置情報を取得する（ステップＳ１１６）。
【００６２】
続いて、安全性判定手段１０５１は、前述のステップＳ１０７と同様にして、携帯端末１００の現在位置の安全性を判定する（ステップＳ１１７）。その後、通知手段１０５２は、前述のステップＳ１０８と同様にして、安全性判定手段１０５１による判定結果に基づいて、ユーザに表示部１０７を介して通知する通知情報を生成しメモリ１０５に記憶させる（ステップＳ１１８）。
【００６３】
その後、属性特定手段１０４５は、緊急速報に含まれる災害の種類や規模等を示す情報に基づいて、推奨避難場所が具備すべき属性要件を特定する（ステップＳ１１９）。例えば、緊急地震速報の場合には予想される震度に対して、耐えうる構造設計がされている建物又は周囲に倒壊する建造物等が無い公園のような広い場所であることが、この警報に対する好適な推奨避難場所が具備すべき属性要件である。また、津波警報の場合には、想定される津波の高さよりも遥かに高い高さか、海岸線及び河川から遥かに遠い場所に位置する建物又は地域が、この警報に対する好適な推奨避難場所が具備すべき属性要件である。
【００６４】
次に、推奨避難場所特定手段１０４６は、図３に示すように、地図データを参照し、携帯端末１００の現在位置から最寄りの場所に所在し且つ推奨避難場所として具備すべき属性要件を満たした推奨避難場所を特定する（ステップＳ１２０）。
【００６５】
続いて、避難経路特定手段１０４７は、メモリ１０５が記憶する地図データを参照して、最寄りの推奨避難場所への避難経路を特定する（ステップＳ１２１）。
【００６６】
その後、地図表示手段１０４２は、取得した地図データに対応する地図上に、携帯端末１００の現在位置と、最寄りの推奨避難場所と、その推奨避難場所への避難経路と、危険範囲と、が示された画面を表示部１０７に表示させる（ステップＳ１２２）。このとき、携帯端末１００の表示部１０７の画面１０７ａには、地図アプリを操作するためのアイコンも同時に表示される。地図表示手段１０４２は、例えば図４に示すような画面１０７ａを表示部１０７に表示させる。画面１０７ａには、図４に示すように、解除アイコン３０４と、地図の拡大・縮小を行うサイズ調整アイコン３０５と、縮尺アイコン３０６と、が表示されている。解除アイコン３０４は、携帯端末１００について、避難モードを解除して動作モードを通常モードへ切り替えるためのアイコンである。
【００６７】
また、画面１０７ａには、複数（図４では３つ）の推奨避難場所Ａ、Ｂ、Ｃ（５０１、５０２、５０３）と、携帯端末１００の現在位置５００と、携帯端末１００の現在位置５００から各推奨避難場所５０１、５０２、５０３への避難経路５０４、５０５、５０６と、が表示されている。また、画面１０７ａには、危険範囲を示す危険範囲マーク６０１も表示されている。これにより、携帯端末１００のユーザは、災害により危険がおよびうる範囲を視覚的に把握することが可能となる。
【００６８】
なお、先述のとおりＧＰＳ信号に基づいて算出される携帯端末１００の現在位置の不正確さを許容するために、ＧＰＳ機能部１０３により検出した携帯端末１００の現在位置は、地図が視認出来る程度に彩度または明度を落とした半径２５ｍの円形のシェーディング領域７０１として表示される。これにより、携帯端末１００を所持するユーザは、その周辺状況を容易に把握することが出来る。なお、この場合、通知情報３０１における「その周辺にある」という部分は、「ＧＰＳ情報により検出された地点から半径２５ｍ以内にある」という、より正確な表現に換えてもよい。
【００６９】
図３に戻って、その後、通知手段１０５２は、既に通知情報の表示の解除が実行されたか否かを判定する（ステップＳ１２３）。通知手段１０５２により既に通知情報の表示の解除が実行されたと判定されると（ステップＳ１２３：Ｙｅｓ）、後述のステップＳ１２８の処理が実行される。
【００７０】
一方、通知手段１０５２は、未だ通知情報の表示の解除を実行していないと判定すると（ステップＳ１２３：Ｎｏ）、メモリ１０５に記憶させた通知情報を取得し（ステップＳ１２４）、通知情報を携帯端末１００の表示部１０７に表示させる（ステップＳ１２５）。ここで、通知手段１０５２は、例えば図４に示すように、通知情報３０１を、表示部１０７に表示されている地図に重ねて表示する。
【００７１】
次に、通知手段１０５２は、通知情報を表示部１０７に表示後、予め設定された期間だけ経過したか否かを判定する（ステップＳ１２６）。通知手段１０５２により通知情報を表示部１０７に表示後、未だ予め設定された期間を経過していないと判定されると（ステップＳ１２６：Ｎｏ）、後述のステップＳ１２８の処理が実行される。一方、通知手段１０５２は、通知情報を表示部１０７に表示後、予め設定された期間を経過したと判定すると（ステップＳ１２６：Ｙｅｓ）、通知情報の表示を解除する（ステップＳ１２７）。
【００７２】
その後、地図表示手段１０４２は、避難モード解除指令が有ったか否かを判定する（ステップＳ１２８）。この避難モード解除指令は、例えば携帯端末１００のユーザが、操作部１０８に対して避難モードを解除するための操作を行うことにより、携帯端末１００に入力される。地図表示手段１０４２により避難モード解除指令が有ったと判定されると（ステップＳ１２８：Ｙｅｓ）、再びステップＳ１０１の処理が実行される。一方、地図表示手段１０４２は、避難モード解除指令が無いと判定すると（ステップＳ１２８：Ｎｏ）、再びステップＳ１１６の処理を実行する。
【００７３】
次に、本実施の形態に係る携帯端末１００の制御部１０４が実行する地図データ更新処理について図５を参照しながら詳細に説明する。この地図データ更新処理は、携帯端末１００へ電源が投入されたことを契機として開始される。また、図５に示すフローチャートに示す各ステップは、制御部１０４が、メモリ１０５が記憶する地図データ更新処理用のプログラムを読み込んで実行することにより逐次処理される。この地図データ更新処理は、前述の携帯端末制御処理と並行して実行される。まず、地図更新手段１０４９は、メモリ１０５が記憶する地図データの更新時期が到来したか否かを判定する（ステップＳ２０１）。この地図データ更新時期は、例えば半日毎に設定される。地図更新手段１０４９は、地図データの更新時期が到来していないと判定する限り（ステップＳ２０１：Ｎｏ）、ステップＳ２０１の処理を繰り返し実行する。
【００７４】
一方、地図更新手段１０４９は、地図データの更新時期が到来したと判定すると（ステップＳ２０１：Ｙｅｓ）、携帯端末１００の動作モードが避難モードであるか否かを判定する（ステップＳ２０２）。地図更新手段１０４９は、携帯端末１００の動作モードが避難モードであると判定すると（ステップＳ２０２：Ｙｅｓ）、再びステップＳ２０１の処理を実行する。
【００７５】
一方、地図更新手段１０４９は、携帯端末１００の動作モードが平常モードであると判定すると（ステップＳ２０２：Ｎｏ）、通信回路１０２を介してネットワークに接続し外部から新たに地図データを取得する（ステップＳ２０３）。次に、地図更新手段１０４９は、メモリ１０５に新たに取得した地図データを記憶させることによりメモリ１０５が記憶する地図データを更新する（ステップＳ２０４）。その後、再びステップＳ２０１の処理が実行される。
【００７６】
以上説明したように、本実施の形態に係る携帯端末１００によれば、緊急速報受信手段１０４１が緊急速報を受信すると、動作モード切替手段１０４３が、携帯端末１００の動作モードを、携帯端末１００の現在位置から最寄りの推奨避難場所とそこへの避難経路とを表示する避難モードに切り替える。そして、地図表示手段１０４２が、携帯端末１００の動作モードが避難モードに切り替わると、地図データを用いて最寄りの推奨避難場所および避難経路を表示する。また、通知手段１０５２が、ユーザに通知する通知情報を生成して地図データに対応する地図に重ねて表示する。これにより、ユーザは、携帯端末１００が緊急速報を受信した後、携帯端末１００に対して最寄りの推奨避難場所やそこへの避難経路を検索するための操作を行わなくても携帯端末１００に最寄りの推奨避難場所とそこへの避難経路と通知情報とが表示される。従って、災害発生後、最寄りの推奨避難場所、最寄りの推奨避難場所への避難経路およびユーザに通知すべき通知情報が迅速にユーザへ提示される。
【００７７】
また、本実施の形態に係る携帯端末１００は、携帯端末１００の現在位置の安全性を判定する安全性判定手段１０５１を備える。そして、通知手段１０５２は、安全性判定手段１０５１による判定結果に基づいて、ユーザに通知する通知情報を生成する。これにより、ユーザは、現在位置の安全性について把握することができるので、安全に避難することが可能となる。
【００７８】
（変形例）
以上、本発明の実施の形態について説明したが、本発明は前述の実施の形態の構成に限
定されるものではない。例えば、実施の形態では、地図表示手段が、一般的地図データを使用する例について説明したが、これに限らず、例えば推奨避難場所とそこへの避難経路との表示に特化した、一般的地図データよりもデータ量の少ない避難用地図データを使用する構成であってもよい。
【００７９】
避難用地図データは、例えば、緊急速報が送信される地域を網羅するデータであり、一般的商業施設等を特定するための情報を含んでいないものである。具体的には、避難用地図データは、基本地図データおよび推奨避難場所に関するデータのみを含む。この避難用地図データは、一般的商業施設等を特定するための情報を含まない分、一般的地図データに比べて、同一面積の領域に関する情報量は少ない。
【００８０】
また、推奨避難場所に関するデータは、地方公共団体等から発信される火災時の緊急避難場所に関する情報や避難用地図データの作成者の独自の実地調査により得られた情報、各推奨避難場所の属性を示す属性情報等を含んでいる。また、基本地図データは、推奨避難場所に隣接する道路を示すデータを含む。なお、基本地図データは、道路に関する詳細なデータを含まないもの（例えば白地図）であってもよい。
【００８１】
この場合、避難用地図データの大きさを更に減少させることができる。ただし、この場合には、正確な経路表示が出来ないために、現在位置から目的とする推奨避難場所までの距離と方向を示すことにより、簡易な移動ガイダンスが可能となる。
【００８２】
実施の形態では、測位手段１０４４が、携帯端末１００の位置をＧＰＳ機能部１０３からの出力に基づいて行う例について説明した。但し、これに限らず、測位手段１０４４が、複数の基地局から受信する電波の強度から複数の基地局から携帯端末１００までの相対的な距離差を求めて三角測量を利用して携帯端末１００の位置を検出するものであってもよい。
【００８３】
また、本発明に係る携帯端末１００の各種機能は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭ等）に格納して配布し、当該プログラムをコンピュータシステムにインストールすることにより、上述の処理を実行する携帯端末１００を構成してもよい。
【００８４】
また、コンピュータにプログラムを提供する方法は任意である。例えば、プログラムは、クラウドコンピューティングにおけるサーバに通信回線の掲示版（ＢＢＳ：bulletin board system）にアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行する携帯端末１００として機能する。
【００８５】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【産業上の利用可能性】
【００８６】
本発明は、災害発生時に避難者を避難先へ誘導することによる避難支援に好適である。
【符号の説明】
【００８７】
１００：携帯端末、１０１：バス、１０２：通信回路、１０３：ＧＰＳ機能部、１０４：制御部、１０５：メモリ、１０６：電源制御部、１０７：表示部、１０７ａ：画面、１０８：操作部、１０９：音声入出力部、３０１：通知情報、３０４：解除アイコン、３０５：サイズ調整アイコン、３０６：縮尺アイコン、５００：現在位置、５０１，５０２，５０３：推奨避難場所、５０４，５０５，５０６：避難経路、６０１：危険範囲マーク、７０１：シェーディング領域、１０４１：緊急速報受信手段、１０４２：地図表示手段、１０４３：動作モード切替手段、１０４４：測位手段、１０４５：属性特定手段、１０４６：推奨避難場所特定手段、１０４７：避難経路特定手段、１０４８：危険範囲特定手段、１０４９：地図更新手段、１０５０：設定手段、１０５１：安全性判定手段、１０５２：通知手段
【図１】
2018109877.tif 000003
【図２】
2018109877.tif 000004
【図３】
2018109877.tif 000005
【図４】
2018109877.tif 000006
【図５】
2018109877.tif 000007
【手続補正書】
【提出日】平成29年6月19日(2017.6.19)
【手続補正１】
【補正対象書類名】明細書
【補正対象項目名】０００６
【補正方法】変更
【補正の内容】
【０００６】
本発明の第１の観点にかかる携帯端末は、
通話を可能とする音声の入出力を行う音声入出力手段を備える携帯端末であって、
地図データを記憶する記憶手段と、
緊急速報を受信する緊急速報受信手段と、
前記緊急速報受信手段が前記緊急速報を受信すると、自己の動作モードを、自己の現在位置から予め設定された距離の範囲内に位置する推奨避難場所である最寄りの推奨避難場所を表示する避難モードに切り替えるモード切替手段と、
初期設定により、前記緊急速報の内容に応じた前記モード切替手段による動作モードの切替を行うか否かを設定する設定手段と、
現在位置検出機能を用いて前記現在位置を測位する測位手段と、
前記最寄りの推奨避難場所を特定する推奨避難場所特定手段と、
前記動作モードが前記避難モードに切り替わると、前記記憶手段から前記地図データを取得し、取得した前記地図データを用いて前記最寄りの推奨避難場所を表示する地図表示手段と、
前記緊急速報に関してユーザに通知する通知情報を生成し、生成した前記通知情報を前記地図データに対応する地図に、当該地図の一部が見える状態でかつ当該地図が表示された画面の一部を覆うように重ねて表示する通知手段と、
前記現在位置の安全性を判定する安全性判定手段と、を備え、
前記通知手段は、前記安全性判定手段による判定結果に基づいて、ユーザに通知する前記通知情報を生成する。
【手続補正２】
【補正対象書類名】明細書
【補正対象項目名】０００７
【補正方法】変更
【補正の内容】
【０００７】
また、本発明の第２の観点にかかる携帯端末制御方法は、
通話を可能とする音声の入出力を行う音声入出力手段を備える携帯端末の携帯端末制御方法であって、
地図データを記憶するステップと、
緊急速報を受信するステップと、
前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるステップと、
初期設定により、前記緊急速報の内容に応じた動作モードの切替を行うか否かを設定するステップと、
現在位置検出機能を用いて前記現在位置を測位するステップと、
前記最寄りの推奨避難場所を特定するステップと、
前記動作モードが前記避難モードに切り替わると、前記地図データを取得し、取得した
前記地図データを用いて前記最寄りの推奨避難場所を表示するステップと、
前記現在位置の安全性を判定するステップと、
前記現在位置の安全性の判定結果に基づいて、前記緊急速報に関してユーザに通知する通知情報を生成し、生成した前記通知情報を前記地図データに対応する地図に、当該地図の一部が見える状態でかつ当該地図が表示された画面の一部を覆うように重ねて表示するステップと、を含む。
【手続補正３】
【補正対象書類名】明細書
【補正対象項目名】０００８
【補正方法】変更
【補正の内容】
【０００８】
さらに、本発明の第３の観点にかかるプログラムは、
通話を可能とする音声の入出力を行う音声入出力手段を備える携帯端末のコンピュータを、
地図データを記憶する記憶手段、
緊急速報を受信する緊急速報受信手段、
前記緊急速報受信手段が前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるモード切替手段、
初期設定により、前記緊急速報の内容に応じた前記モード切替手段による動作モードの切替を行うか否かを設定する設定手段、
現在位置検出機能を用いて前記現在位置を測位する測位手段、
前記最寄りの推奨避難場所を特定する推奨避難場所特定手段、
前記動作モードが前記避難モードに切り替わると、前記記憶手段から前記地図データを
取得し、取得した前記地図データを用いて前記最寄りの推奨避難場所を表示する地図表示
手段、
前記緊急速報に関してユーザに通知する通知情報を生成し、生成した前記通知情報を前
記地図データに対応する地図に、当該地図の一部が見える状態でかつ当該地図が表示された画面の一部を覆うように重ねて表示する通知手段、
前記現在位置の安全性を判定する安全性判定手段、として機能させるプログラムであって、
前記通知手段は、前記安全性判定手段による判定結果に基づいて、ユーザに通知する前記通知情報を生成する。
【手続補正４】
【補正対象書類名】明細書
【補正対象項目名】０００９
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
通話を可能とする音声の入出力を行う音声入出力手段を備える携帯端末であって、
地図データを記憶する記憶手段と、
緊急速報を受信する緊急速報受信手段と、
前記緊急速報受信手段が前記緊急速報を受信すると、自己の動作モードを、自己の現在位置から予め設定された距離の範囲内に位置する推奨避難場所である最寄りの推奨避難場所を表示する避難モードに切り替えるモード切替手段と、
初期設定により、前記緊急速報の内容に応じた前記モード切替手段による動作モードの切替を行うか否かを設定する設定手段と、
現在位置検出機能を用いて前記現在位置を測位する測位手段と、
前記最寄りの推奨避難場所を特定する推奨避難場所特定手段と、
前記動作モードが前記避難モードに切り替わると、前記記憶手段から前記地図データを取得し、取得した前記地図データを用いて前記最寄りの推奨避難場所を表示する地図表示手段と、
前記緊急速報に関してユーザに通知する通知情報を生成し、生成した前記通知情報を前記地図データに対応する地図に、当該地図の一部が見える状態でかつ当該地図が表示された画面の一部を覆うように重ねて表示する通知手段と、
前記現在位置の安全性を判定する安全性判定手段と、を備え、
前記通知手段は、前記安全性判定手段による判定結果に基づいて、ユーザに通知する前記通知情報を生成する、
携帯端末。
【請求項２】
通話を可能とする音声の入出力を行う音声入出力手段を備える携帯端末の携帯端末制御方法であって、
地図データを記憶するステップと、
緊急速報を受信するステップと、
前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるステップと、
初期設定により、前記緊急速報の内容に応じた動作モードの切替を行うか否かを設定するステップと、
現在位置検出機能を用いて前記現在位置を測位するステップと、
前記最寄りの推奨避難場所を特定するステップと、
前記動作モードが前記避難モードに切り替わると、前記地図データを取得し、取得した
前記地図データを用いて前記最寄りの推奨避難場所を表示するステップと、
前記現在位置の安全性を判定するステップと、
前記現在位置の安全性の判定結果に基づいて、前記緊急速報に関してユーザに通知する通知情報を生成し、生成した前記通知情報を前記地図データに対応する地図に、当該地図の一部が見える状態でかつ当該地図が表示された画面の一部を覆うように重ねて表示するステップと、を含む、
携帯端末制御方法。
【請求項３】
通話を可能とする音声の入出力を行う音声入出力手段を備える携帯端末のコンピュータを、
地図データを記憶する記憶手段、
緊急速報を受信する緊急速報受信手段、
前記緊急速報受信手段が前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるモード切替手段、
初期設定により、前記緊急速報の内容に応じた前記モード切替手段による動作モードの切替を行うか否かを設定する設定手段、
現在位置検出機能を用いて前記現在位置を測位する測位手段、
前記最寄りの推奨避難場所を特定する推奨避難場所特定手段、
前記動作モードが前記避難モードに切り替わると、前記記憶手段から前記地図データを
取得し、取得した前記地図データを用いて前記最寄りの推奨避難場所を表示する地図表示
手段、
前記緊急速報に関してユーザに通知する通知情報を生成し、生成した前記通知情報を前
記地図データに対応する地図に、当該地図の一部が見える状態でかつ当該地図が表示された画面の一部を覆うように重ねて表示する通知手段、
前記現在位置の安全性を判定する安全性判定手段、として機能させるプログラムであって、
前記通知手段は、前記安全性判定手段による判定結果に基づいて、ユーザに通知する前記通知情報を生成する、
プログラム。
【手続補正書】
【提出日】平成29年11月14日(2017.11.14)
【手続補正１】
【補正対象書類名】明細書
【補正対象項目名】０００６
【補正方法】変更
【補正の内容】
【０００６】
本発明の第１の観点にかかる携帯端末は、
通話を可能とする音声の入出力を行う音声入出力手段を備える携帯端末であって、
地図データを記憶する記憶手段と、
緊急速報を受信する緊急速報受信手段と、
前記緊急速報受信手段が前記緊急速報を受信すると、自己の動作モードを、自己の現在位置から予め設定された距離の範囲内に位置する推奨避難場所である最寄りの推奨避難場所を表示する避難モードに切り替えるモード切替手段と、
初期設定により、前記緊急速報の内容に応じた前記モード切替手段による動作モードの切替を行うか否かを設定する設定手段と、
現在位置検出機能を用いて前記現在位置を測位する測位手段と、
前記最寄りの推奨避難場所を特定する推奨避難場所特定手段と、
前記動作モードが前記避難モードに切り替わると、前記記憶手段から前記地図データを取得し、取得した前記地図データを用いて前記最寄りの推奨避難場所を表示する地図表示手段と、
前記緊急速報に関してユーザに通知する通知情報を生成し、生成した前記通知情報を前記地図データに対応する地図に、当該地図の一部が見える状態でかつ当該地図が表示された画面の一部を覆うように重ねて表示する通知手段と、
前記緊急速報に含まれる災害の種類、規模を示す情報に基づいて、前記現在位置が安全性に関する一定の条件を満たしているか否かにより、前記現在位置が比較的安全であるか否かを判定する安全性判定手段と、を備え、
前記通知手段は、前記安全性判定手段による判定結果に基づいて、ユーザに通知する前記通知情報を生成する。
【手続補正２】
【補正対象書類名】明細書
【補正対象項目名】０００７
【補正方法】変更
【補正の内容】
【０００７】
また、本発明の第２の観点にかかる携帯端末制御方法は、
通話を可能とする音声の入出力を行う音声入出力手段を備える携帯端末の携帯端末制御方法であって、
地図データを記憶するステップと、
緊急速報を受信するステップと、
前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるステップと、
初期設定により、前記緊急速報の内容に応じた動作モードの切替を行うか否かを設定するステップと、
現在位置検出機能を用いて前記現在位置を測位するステップと、
前記最寄りの推奨避難場所を特定するステップと、
前記動作モードが前記避難モードに切り替わると、前記地図データを取得し、取得した
前記地図データを用いて前記最寄りの推奨避難場所を表示するステップと、
前記緊急速報に含まれる災害の種類、規模を示す情報に基づいて、前記現在位置が安全性に関する一定の条件を満たしているか否かにより、前記現在位置が比較的安全であるか否かを判定するステップと、
前記現在位置の安全性の判定結果に基づいて、前記緊急速報に関してユーザに通知する通知情報を生成し、生成した前記通知情報を前記地図データに対応する地図に、当該地図の一部が見える状態でかつ当該地図が表示された画面の一部を覆うように重ねて表示するステップと、を含む。
【手続補正３】
【補正対象書類名】明細書
【補正対象項目名】０００８
【補正方法】変更
【補正の内容】
【０００８】
さらに、本発明の第３の観点にかかるプログラムは、
通話を可能とする音声の入出力を行う音声入出力手段を備える携帯端末のコンピュータを、
地図データを記憶する記憶手段、
緊急速報を受信する緊急速報受信手段、
前記緊急速報受信手段が前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるモード切替手段、
初期設定により、前記緊急速報の内容に応じた前記モード切替手段による動作モードの切替を行うか否かを設定する設定手段、
現在位置検出機能を用いて前記現在位置を測位する測位手段、
前記最寄りの推奨避難場所を特定する推奨避難場所特定手段、
前記動作モードが前記避難モードに切り替わると、前記記憶手段から前記地図データを
取得し、取得した前記地図データを用いて前記最寄りの推奨避難場所を表示する地図表示
手段、
前記緊急速報に関してユーザに通知する通知情報を生成し、生成した前記通知情報を前
記地図データに対応する地図に、当該地図の一部が見える状態でかつ当該地図が表示された画面の一部を覆うように重ねて表示する通知手段、
前記緊急速報に含まれる災害の種類、規模を示す情報に基づいて、前記現在位置が安全性に関する一定の条件を満たしているか否かにより、前記現在位置が比較的安全であるか否かを判定する安全性判定手段、として機能させるプログラムであって、
前記通知手段は、前記安全性判定手段による判定結果に基づいて、ユーザに通知する前記通知情報を生成する。
【手続補正４】
【補正対象書類名】特許請求の範囲
【補正対象項目名】全文
【補正方法】変更
【補正の内容】
【特許請求の範囲】
【請求項１】
通話を可能とする音声の入出力を行う音声入出力手段を備える携帯端末であって、
地図データを記憶する記憶手段と、
緊急速報を受信する緊急速報受信手段と、
前記緊急速報受信手段が前記緊急速報を受信すると、自己の動作モードを、自己の現在位置から予め設定された距離の範囲内に位置する推奨避難場所である最寄りの推奨避難場所を表示する避難モードに切り替えるモード切替手段と、
初期設定により、前記緊急速報の内容に応じた前記モード切替手段による動作モードの切替を行うか否かを設定する設定手段と、
現在位置検出機能を用いて前記現在位置を測位する測位手段と、
前記最寄りの推奨避難場所を特定する推奨避難場所特定手段と、
前記動作モードが前記避難モードに切り替わると、前記記憶手段から前記地図データを取得し、取得した前記地図データを用いて前記最寄りの推奨避難場所を表示する地図表示手段と、
前記緊急速報に関してユーザに通知する通知情報を生成し、生成した前記通知情報を前記地図データに対応する地図に、当該地図の一部が見える状態でかつ当該地図が表示された画面の一部を覆うように重ねて表示する通知手段と、
前記緊急速報に含まれる災害の種類、規模を示す情報に基づいて、前記現在位置が安全性に関する一定の条件を満たしているか否かにより、前記現在位置が比較的安全であるか否かを判定する安全性判定手段と、を備え、
前記通知手段は、前記安全性判定手段による判定結果に基づいて、ユーザに通知する前記通知情報を生成する、
携帯端末。
【請求項２】
通話を可能とする音声の入出力を行う音声入出力手段を備える携帯端末の携帯端末制御方法であって、
地図データを記憶するステップと、
緊急速報を受信するステップと、
前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるステップと、
初期設定により、前記緊急速報の内容に応じた動作モードの切替を行うか否かを設定するステップと、
現在位置検出機能を用いて前記現在位置を測位するステップと、
前記最寄りの推奨避難場所を特定するステップと、
前記動作モードが前記避難モードに切り替わると、前記地図データを取得し、取得した
前記地図データを用いて前記最寄りの推奨避難場所を表示するステップと、
前記緊急速報に含まれる災害の種類、規模を示す情報に基づいて、前記現在位置が安全性に関する一定の条件を満たしているか否かにより、前記現在位置が比較的安全であるか否かを判定するステップと、
前記現在位置の安全性の判定結果に基づいて、前記緊急速報に関してユーザに通知する通知情報を生成し、生成した前記通知情報を前記地図データに対応する地図に、当該地図の一部が見える状態でかつ当該地図が表示された画面の一部を覆うように重ねて表示するステップと、を含む、
携帯端末制御方法。
【請求項３】
通話を可能とする音声の入出力を行う音声入出力手段を備える携帯端末のコンピュータを、
地図データを記憶する記憶手段、
緊急速報を受信する緊急速報受信手段、
前記緊急速報受信手段が前記緊急速報を受信すると、前記携帯端末の動作モードを、前記携帯端末の現在位置から予め設定された距離の範囲内に位置する推奨避難場所である最寄りの推奨避難場所を表示する避難モードに切り替えるモード切替手段、
初期設定により、前記緊急速報の内容に応じた前記モード切替手段による動作モードの切替を行うか否かを設定する設定手段、
現在位置検出機能を用いて前記現在位置を測位する測位手段、
前記最寄りの推奨避難場所を特定する推奨避難場所特定手段、
前記動作モードが前記避難モードに切り替わると、前記記憶手段から前記地図データを取得し、取得した前記地図データを用いて前記最寄りの推奨避難場所を表示する地図表示手段、
前記緊急速報に関してユーザに通知する通知情報を生成し、生成した前記通知情報を前記地図データに対応する地図に、当該地図の一部が見える状態でかつ当該地図が表示された画面の一部を覆うように重ねて表示する通知手段、
前記緊急速報に含まれる災害の種類、規模を示す情報に基づいて、前記現在位置が安全性に関する一定の条件を満たしているか否かにより、前記現在位置が比較的安全であるか否かを判定する安全性判定手段、として機能させるプログラムであって、
前記通知手段は、前記安全性判定手段による判定結果に基づいて、ユーザに通知する前記通知情報を生成する、
プログラム。